(57)【要約】【課題】汎用されている電球ソケットに装着して使用できると共に美容や植物育成、植物栽培等の特定の用途に用いることができる電球型光照射装置を提供する。【解決手段】本発明の電球型光照射装置１は、電球ソケット９に螺着する給電用口金３と、発光部１１及び電源装置部１５を有する基体５と、基体５に装着して発光部１１を覆うカバー７とを備えている。発光部１１は、基体５の表面に複数の発光ダイオード１７ａ、１７ｂを有する光源モジュール１９を配置して構成してあり、発光ダイオード１７ａ、１７ｂは、５００〜２０００Ｈｚで点滅する。【選択図】図１
2008311002.tif 000002
【特許請求の範囲】
【請求項１】
電球ソケットに螺着する給電用口金と、発光部及び電源装置部を有する基体と、基体に装着して発光部を覆うカバーとを備え、発光部には表面に複数の発光ダイオードを有する光源モジュールを配置してあり、発光ダイオードは点滅することを特徴とする電球型光照射装置。
【請求項２】
基体は樹脂製であり、光源モジュールは基体に設けられた金属製の冷却板上に配置されており、冷却板は基体の外周面に配置されている放熱板に接続されていることを特徴とする請求項１に記載の電球型光照射装置。
【請求項３】
発光ダイオードは、５００〜２０００Ｈｚの周波数で点滅することを特徴とする請求項２に記載の電球型光照射装置。
【請求項４】
光源モジュールには、複数種類の発光ダイオードが設けてあり、各発光ダイオードは異なる波長の光を発することを特徴とする請求項２に記載の電球型光照射装置。
【請求項５】
光源モジュールには、主波長が４６０ｎｍの発光ダイオード及び主波長が６３０ｎｍの発光ダイオード、又は主波長が５７５ｎｍの発光ダイオードが設けてあることを特徴とする請求項２に記載の電球型光照射装置。
【発明の詳細な説明】
【技術分野】
【０００１】
本発明は、家庭用の電気スタンド等の電球ソケットに装着して用いる電球型光照射装置に関する。
【背景技術】
【０００２】
特許文献１には、発光ダイオードの光を皮膚に向けて照射する美容機器が開示されている。
【０００３】
特許文献２には、口金を電球ソケットに螺着して用い、発光ダイオード（ＬＥＤ）の発光により照明する電球型照明装置が開示されている。
【０００４】
【特許文献１】特開２００５−１６８８９４号公報
【特許文献２】特開２００５−３１０５６１号公報
【発明の開示】
【発明が解決しようとする課題】
【０００５】
しかしながら、特許文献１の美容機器は、使用時には手で把持する必要があるので、利便性に欠けるという問題がある。
【０００６】
特許文献２は、照明用に発光ダイオードを利用するだけであり、美容器等の特定の用途に用いることができない。
【０００７】
一方、椅子に座って本を読みながら、或いは横に寝た状態で、美容器からの光照射を受けたいという要求がある。
【０００８】
本発明は、上記事情に鑑みなされたものであり、汎用されている電球ソケットに装着して使用できると共に美容や植物育成、植物栽培等の特定の用途に用いることができる電球型光照射装置を提供することにある。
【課題を解決するための手段】
【０００９】
前記課題を解決するために、請求項１に記載された発明は、電球ソケットに螺着する給電用口金と、発光部及び電源装置部を有する基体と、基体に装着して発光部を覆うカバーとを備え、発光部には表面に複数の発光ダイオードを有する光源モジュールを配置してあり、発光ダイオードは点滅することを特徴とする。
【００１０】
請求項２に記載された発明は、請求項１に記載された発明において、基体は樹脂製であり、光源モジュールは基体に設けられた金属製の冷却板上に配置されており、冷却板は基体の外周面に配置されている放熱板に接続されていることを特徴とする。
【００１１】
請求項３に記載された発明は、請求項２に記載された発明において、発光ダイオードは、５００〜２０００Ｈｚの周波数で点滅することを特徴とする。
【００１２】
請求項４に記載された発明は、請求項２に記載された発明において、光源モジュールには、複数種類の発光ダイオードが設けてあり、各発光ダイオードは異なる波長の光を発することを特徴とする。
【００１３】
請求項５に記載された発明は、請求項２に記載された発明において、光源モジュールには、主波長が４６０ｎｍの発光ダイオード及び主波長が６３０ｎｍの発光ダイオード、又は主波長が５７５ｎｍの発光ダイオードが設けてあることを特徴とする。
【発明の効果】
【００１４】
請求項１に記載された発明によれば、例えば電気スタンドや部屋の照明器具に設けてある電球ソケットに電球型光照射装置の口金を螺着して使用することができる。例えば、美容機器として用いる場合には、発光ダイオード（ＬＥＤ）の点滅による光照射を受けると、人の皮膚に刺激を与えて皮膚の活性化を図ることができる。また、本発明の電球型光照射装置を、室内の植物育成や、植物栽培として用いる場合には、植物が発光ダイオード（ＬＥＤ）の点滅による光照射をすると、光の刺激を受けて活性化し、光合成を促進することができる。
【００１５】
汎用されている既存の照明器具にある電球ソケットに螺着できるので、美容機器や植物育成機として利用しようとするときには、電気スタンドや室内照明用の電球ソケットに装着されている通常の電球を外して装着できるので、取り扱い易く且つ利便性が良い。
【００１６】
発光ダイオードが発光する光の主波長が異なる種類の電球型照射装置を、用途（美容器や植物栽培等の用途）に応じて用意しておけば、電球ソケットの電球を交換するようにして簡単に利用することができる。
【００１７】
発光ダイオードは、光源モジュールにより纏まっており、基体への装着が容易にできるから、製造が容易である。
【００１８】
請求項２に記載された発明によれば、請求項１に記載された発明と同様の効果を奏すると共に、光源モジュールの熱を基体外周に設けた放熱板から放熱でき、冷却効率が良い。  請求項３に記載された発明によれば、請求項２に記載された発明と同様の効果を奏すると共に、皮膚の活性化や、植物の育成において、有効な刺激を与えることができる。
【００１９】
請求項４に記載された発明によれば、請求項２に記載された発明と同様の効果を奏すると共に、例えば、赤色光〜黄色光の範囲の波長の光は、一般に、にきびを防止し、繊維芽細胞の活性を促し、神経ブロックを活性化し、コレステロールの分解に作用を有することから、美肌効果に優れ、近赤外光は、一般に、皮膚に対する浸透性が高い為、繊維芽細胞の増殖を促すことから美肌効果に優れるので、このような効果を奏する光の主波長が異なる発光ダイオードを複数設けることにより、複合的な作用を得ることができる。
【００２０】
請求項５に記載された発明によれば、請求項２に記載された発明と同様な作用効果を奏すると共に、主波長が４６０ｎｍの発光ダイオード及び主波長が６３０ｎｍの発光ダイオードを組み合わせた場合には、美容機器として用いる場合には、にきび等を抑制して美肌効果に優れると共に、植物に照射した場合には植物光合成を促進することができる。
【００２１】
主波長が５７５ｎｍの発光ダイオードの場合には、皮膚や植物表面の保湿に優れる。
【発明を実施するための最良の形態】
【００２２】
以下に、図面を参照しつつ本発明の実施形態について説明する。図１は本実施の形態に係る電球型照明装置の断面図であり、図２は本実施の形態に係る電球型照明装置の斜視図であり、図３は本実施の形態に係る電球型照明装置のカバーを外して示す平面図であり、図４は本実施の形態に係る電球型照明装置の光源モジュールの平面図であり、図５は光源モジュールに配置するＬＥＤの波長と出力との関係を示すグラフであり、図６〜図８は本実施の形態に係る電球型照明装置の使用例を示す側面図である。
【００２３】
本実施形態の電球型光照射装置１は、家庭用の電球ソケットに装着して使用するものであり、図１及び図２に示すように、給電用口金３と、基体５と、基体５に装着するカバー７とを備えている。
【００２４】
給電用口金３は、いわゆる白熱電球の口金と同様に螺旋状に形成してあり、図６〜図８に示すように家庭等で一般に用いられている電球ソケット９に螺着するようになっている。この給電用口金３は基体５の一端部に設けてある。
【００２５】
基体５は、樹脂製であり、発光部１１と、放熱部１３と、電源装置部１５とが設けてあり、発光部１１には、複数の発光ダイオード（ＬＥＤ）１７ａ、１７ｂが配置された光源モジュール１９が複数配置されている。電源装置部１５は、商用交流電力を所定の直流電力に変換するものである。
【００２６】
光源モジュール１９は、アルミニウム製基板で円盤状に形成してあり表面には、主波長の異なる２種類の発光ダイオード（ＬＥＤチップ）１７ａ、１７ｂが配置されており、例えば、一方の種類の発光ダイオード１７ａは主波長が４６０ｎｍ（青色光）の発光ダイオードであり、他方の種類の発光ダイオード１７ｂは主波長が６３０ｎｍ（赤色光）の発光ダイオードである。
【００２７】
各発光ダイオード１７ａ、１７ｂは、５００〜２０００Ｈｚの周波数で点滅しており、本実施の形態では、１０００Ｈｚの周波数で点滅するようになっている。
【００２８】
本実施の形態では、図３に示すように、４つの光源モジュール１９を基体表面に設置しているが、各光源モジュール１９は、基体５のトップ表面に設けてあるアルミニウム製の冷却板２１上に配置されている。冷却板２１は、基体５の外周に配置されたアルミニウム製の放熱板２３に接続されて、光源モジュールの熱を放熱板２３から放熱するようになっている。放熱板２３は、基体５の外周面との間に放熱空間２５を形成しており、放熱空間２５は放熱板２３に設けた複数の通気孔２７（図２参照）に連通している。
【００２９】
カバー７は、透明材であり、基体５に嵌合固定してある。
【００３０】
次に、本実施の形態に係る電球型光照射装置１の使用方法、作用効果について説明する。
【００３１】
使用の際には、図６に示すように、電気スタンド３１の電球ソケット９に本実施の形態に係る電球型光照射装置１の口金３を螺着して取り付ける。図６には、人の頭皮に光を照射する例を示しているが、頭の部分に点滅する光を照射して頭皮を刺激してその活性化を図り、抜け毛の防止と育毛を促進することができる。
【００３２】
本実施の形態によれば、家庭において、一般に使用されている電気スタンド３１等の電球ソケット９に装着するだけで、簡単に頭髪育毛用又は美肌用の点滅光を照射することができる。本実施の形態に係る電球型光照射装置１は、頭皮に限らず、同様に電気スタンドに装着した電球型光照射装置１を顔や皮膚に向けて発光ダイオード１７ａ、１７ｂの光を照射するものであっても良い。
【００３３】
本実施の形態では、電気スタンド３１や室内照明用の電球ソケット９に装着されている通常の電球を外して装着できるので、取り扱い易く且つ利便性が良い。
【００３４】
発光ダイオード１７ａ、１７ｂが発光する光の主波長が異なる種類の電球型照射装置１を、用途（美容器や植物栽培等の用途）に応じて用意しておけば、電球ソケット９の電球を交換するようにして簡単に利用することができる。例えば、主波長が５７５ｎｍ（黄色光）の発光ダイオードを設けた電球型照射装置１を用いて、この波長の光を顔や手等に照射して、皮膚の保湿性を高めることができる。
【００３５】
従って、用途や目的に応じて、異なる種類の発光ダイオードを搭載した電球型照射装置１を用いることにより、各種の目的や用途に応じた利用が簡単にできる。
【００３６】
また、電球型照射装置１の製造においいても、異なる種類の発光ダイオードを配置した光源モジュール１９を入れ替えるだけで、各種の目的や用途に応じた製品を簡単に製造することができる。特に、本実施の形態では、発光ダイオード１７ａ、１７ｂは、光源モジュール１９により纏まっており、基体５への装着が容易にできる。
【００３７】
光源モジュール１９で発生する発光ダイオード１７ａ、１７ｂの熱は、冷却板２１から基体外周に設けた放熱板２３に伝導して放熱でき、冷却効率が良い。放熱板２３は、基体５の外周囲部を覆うようにしてあり、且つ基体５との間にも放熱空間２５を設けているので、放熱効果が高い。
【００３８】
ここで、本実施の形態に係る電球型光照射装置１の他の使用例を説明する。主波長が４６０ｎｍの光と、主波長が６３０ｎｍの光は、植物に照射すると植物の光合成を活性化する作用があるので、例えば、図７に示すように、室内に置かれている観賞植物Ｓに照射して、植物の育成を促進するものであっても良い。
【００３９】
同様に、図８に示すように、室内の栽培プラントＰや栽培ハウスに電球ソケット９を設けて、この電球ソケット９に電球型光照射装置１を取り付けて用いるものであっても良い。この栽培プラントＰでは、植物Ｖの育成を促進することができる。
【００４０】
本発明は、前述した実施形態に限定されず、その要旨を逸脱しない範囲で種々変形可能である。
【００４１】
例えば、発光ダイオード１７ａ、１７ｂは２波長の種類のものに限らず、目的や用途に応じて種々の波長のものを用いることができる。例えば、赤色光（主波長が６４４ｎｍ）〜黄色光（主波長が５７５ｎｍ）の範囲の波長の光は、一般に、にきびを防止し、繊維芽細胞の活性を促し、神経ブロックを活性化し、コレステロールの分解に作用を有することから、美肌効果に優れ、近赤外光（主波長が８８０ｎｍ）は、一般に、皮膚に対する浸透性が高い為、繊維芽細胞の増殖を促すことから美肌効果に優れるので、主波長が異なる発光ダイオードを複数も受けることにより、複合的な作用を得ることができる。
【００４２】
また、黄色光、赤色光、近赤外光、青色光の４種類のものを用いてもよい。このような４種類の色の光を照射する場合には、神経ブロックが更に刺激されて、染みや小ジワ等を効果的に減らすことができる。しかも、複数種の光をムラ無く充分に干渉させて照射することができるため、にきび肌改善、保湿効果、赤ら顔改善、毛穴縮小等、より優れた美容効果を得ることができる。
【図面の簡単な説明】
【００４３】
【図１】本実施の形態に係る電球型照明装置の断面図である。
【図２】本実施の形態に係る電球型照明装置の斜視図である。
【図３】本実施の形態に係る電球型照明装置のカバーを外して示す平面図である。
【図４】本実施の形態に係る電球型照明装置の光源モジュールの平面図である。
【図５】光源モジュールに配置するＬＥＤの波長と出力との関係を示すグラフである。
【図６】本実施の形態に係る電球型照明装置の使用例を示す側面図である。
【図７】本実施の形態に係る電球型照明装置の他の使用例を示す側面図である。
【図８】本実施の形態に係る電球型照明装置の他の使用例を示す側面図である。
【符号の説明】
【００４４】
１      電球型光照射装置
３      給電用口金
５      基体
７      光照射部
１７ａ、１７ｂ    発光ダイオード
１９    光源モジュール
２１    冷却板
２３    放熱板
【図１】
2008311002.tif 000003
【図２】
2008311002.tif 000004
【図３】
2008311002.tif 000005
【図４】
2008311002.tif 000006
【図５】
2008311002.tif 000007
【図６】
2008311002.tif 000008
【図７】
2008311002.tif 000009
【図８】
2008311002.tif 000010